(57)【特許請求の範囲】
【請求項１】
ビール容器の口部に装着される取付部と、この取付部から外方に延在する注出部とを有すると共に、ビール容器内と連通する流出路を有する注出体と、
上記注出体の流出路内に配設される回転体と、
上記回転体を回転駆動するモータと、
上記注出体の注出部に一端が連結され、他端がビール容器の肩部に係止可能な保持部と、を具備し、
上記保持部に、モータの駆動用電池を着脱可能に収容すると共に、モータと電池を接続するリード線を配設し、かつ、保持部のビール容器の肩部側にスイッチを配設してなることを特徴とするビール容器用注出器。
【請求項２】
ビール容器の口部に装着される取付部と、この取付部から外方に延在する注出部とを有すると共に、ビール容器内と連通する流出路を有する注出体と、
上記注出体の流出路内に配設され、流出路内を流れるビールの流れ方向に対して垂直方向に回転軸を有する回転体と、
上記回転体を回転駆動するモータと、
上記注出体の注出部に一端が連結され、他端がビール容器の肩部に係止可能な保持部と、を具備し、
上記保持部に、モータの駆動用電池を着脱可能に収容すると共に、モータと電池を接続するリード線を配設し、かつ、保持部のビール容器の肩部側にスイッチを配設してなることを特徴とするビール容器用注出器。
【発明の詳細な説明】
【０００１】
【発明の属する技術分野】
この発明は、ビール容器用注出器に関するもので、更に詳細には、泡立ち機能を具備するビール容器用注出器に関するものである。
【０００２】
【従来の技術】
一般に、ビールの泡は、ビールから炭酸ガスが逃げるのを防ぐと共に、ビールが空気に触れて酸化するのを防ぐ働きを有する。したがって、きめの細かいクリーミイーな泡立ちのビールが旨味を増すといわれている。
【０００３】
そこで、例えば２リットルや３リットル入りのビール缶等のビール容器内のビールをグラスやジョッキ等の容器に注ぐ際に、泡立ちを良くするために注出口に種々の工夫がされている。泡立ちを良くする手段の一つとして、注出口の流出路内にビールの流通によって回転する回転体を配設したものが知られている（実公平３−５００３１号公報、実公平３−３８１２８号公報参照）。この構造のものは、注出口の流出路内を流れるビールによって回転体が回転することによって、乱流を生じさせてビールを撹拌することで泡立ちを良くするものである。
【０００４】
【発明が解決しようとする課題】
しかしながら、上記実公平３−５００３１号公報、実公平３−３８１２８号公報に記載のものは、注出口の流出路を流れるビールの流量や流速によって回転体の回転が左右されるため、安定した泡立ちが得られないという問題がある。また、回転体には、ビールの流出方向の力と回転体の回転方向の半分の力が相反するので、回転体が円滑に回転できず、泡立ち機能が十分でないという問題もある。
【０００５】
この発明は、上記事情に鑑みなされたもので、ビール容器内のビールを注ぐ際に、強制的に乱流を生じせしめて泡立ちを良好にするビール容器用注出器を提供することを目的とするものである。
【０００６】
【課題を解決するための手段】
上記目的を達成するために、請求項１記載の発明は、ビール容器の口部に装着される取付部と、この取付部から外方に延在する注出部とを有すると共に、ビール容器内と連通する流出路を有する注出体と、  上記注出体の流出路内に配設される回転体と、  上記回転体を回転駆動するモータと、  上記注出体の注出部に一端が連結され、他端がビール容器の肩部に係止可能な保持部と、を具備し、  上記保持部に、モータの駆動用電池を着脱可能に収容すると共に、モータと電池を接続するリード線を配設し、かつ、保持部のビール容器の肩部側にスイッチを配設してなることを特徴とする。
【０００７】
このように構成することにより、ビール容器内のビールを注ぐ際に、モータを駆動させて回転体を強制的に回転させるため、この回転体の回転によってビールに撹拌エネルギが付与される。そのため、ビール流体には乱流が発生し、流出路内にある回転体近傍のビール流体微少空間内で大きな圧力差が時間的に激しく変動し、過飽和に存在するビール流体内の炭酸ガスがその自由エネルギを下げるために、極めて短時間に気体へ相分離する。したがって、安定したきめの細かい泡を立てることができる。このことは、ビールを注ぐ際に発生するビール流体の位置エネルギ変化の一部を、ビール流体が回転体や障害物によって乱流に変換されるという従来の機構とは乱流の大きさにおいて全く異なるものである。
【０００８】
請求項２記載の発明は、ビール容器の口部に装着される取付部と、この取付部から外方に延在する注出部とを有すると共に、ビール容器内と連通する流出路を有する注出体と、  上記注出体の流出路内に配設され、流出路内を流れるビールの流れ方向に対して垂直方向に回転軸を有する回転体と、  上記回転体を回転駆動するモータと、  上記注出体の注出部に一端が連結され、他端がビール容器の肩部に係止可能な保持部と、を具備し、  上記保持部に、モータの駆動用電池を着脱可能に収容すると共に、モータと電池を接続するリード線を配設し、かつ、保持部のビール容器の肩部側にスイッチを配設してなることを特徴とする。
【０００９】
このように構成することにより、ビールの流れ方向に対して垂直方向に回転軸を有する回転体をモータにて強制的に回転させるため、上記請求項１記載の発明に加えて更に乱流を発生し易くすることができ、より一層安定したきめの細かい泡を立てることができる。
【００１１】
また、請求項１，２記載の発明によれば、注出体の注出部に一端が連結される保持部に電池を収容すると共に、保持部の他端をビール容器の肩部に係止させて取り付けることができるので、注出器を安定した状態でビール容器に取り付けることができる。また、保持部のビール容器の肩部側にスイッチを配設することにより、ビール容器に取り付けられた取手を持ってビールを注ぐ際、取手を掴んだ手の親指又は人差し指でスイッチを操作することができる。したがって、ビールを注ぐ際のスイッチ操作を簡単にすることができると共に、泡の量や泡立ちのタイミング等の調整を自由に行うことができる。
【００１２】
【発明の実施の形態】
以下に、この発明のビール容器用注出器の実施形態について、添付図面に基づいて詳細に説明する。
【００１３】
図１は、この発明のビール容器用注出器の一例の使用状態を示す一部断面側面図、図２は、注出器の要部を示す断面図である。
【００１４】
上記注出器１０は、ビール容器例えば２〜３リットル入りのアルミニウム製のビール缶１の口部２に着脱可能に装着される注出体２０と、この注出体２０に設けられた流出路２１内に配設される回転体３０と、この回転体３０を回転駆動するモータ４０と、モータ駆動用電池５０を収容すると共に、モータ４０と電池５０とを接続するリード線５２を配設する保持部６０及びモータ４０と電池５０の電気回路中に介設されてモータ４０のＯＮ、ＯＦＦ操作を行うスイッチ５４とで主要部が構成されている。
【００１５】
上記注出体２０は、例えばポリエチレン等のプラスチック製部材にて形成されており、ビール缶１の口部２に着脱可能に装着される取付部２２と、この取付部２２から外方に向かって傾斜状に延在する注出部２３にて形成されると共に、取付部２２と注出部２３にはビール缶１内に連通する流出路２１が形成されている。
【００１６】
この場合、取付部２２は、図２に示すように、ビール缶１の口部２の内周面２ａに接触する挿入筒体２４と、口部２の先端縁を閉塞するフランジ２５と、フランジ２５から外方に突出する中空胴体２６と、挿入筒体２４及び中空胴体２６の一側部に設けられる空気流通路２７とを具備している。なお、口部２にはキャップを取り付けるためのねじ溝２ｂが設けられているので、挿入筒体２４を口部２に密接させるために、挿入筒体２４に凹凸細条を設ける方が好ましい。また、空気流通路２７の一部を構成する中空胴体２６の両側壁２６ａには空気流通路２７内に外気を導入する外気導入孔２８が設けられている（図２参照）。
【００１７】
また、注出部２３は、取付部２２の中空胴体２６と同様の断面形状すなわち、図３に示すように、互いに平行に対峙する側壁２３ａの上端を平坦の上部壁２３ｂで連結し、両側壁２３ａの下端を円弧溝状の底壁２３ｃにて連結した中空筒状に形成されて、流出路２１を構成している。なお、取付部２２と注出部２３との連結部には、流出路２１内を流れるビールＢを整流にする分岐部２９が設けられている。
【００１８】
上記回転体３０は、図１〜図３に示すように、流出路２１内を流れるビールＢの流れ方向に対して垂直方向に回転軸３１を有する回転羽根にて形成されている。この回転体３０（以下に回転羽根３０という）は、例えばポリエチレン等のプラスチック製部材にて形成されており、図４に示すように、一端にフランジ部３２を有する回転軸３１と、回転軸３１のフランジ部３２側から先端部の手前側に、放射方向に延在する複数（図面では４枚の場合を示す）の羽根部３３とで形成されている。このように形成される回転羽根３０は、回転軸３１のフランジ部３２側がモータ４０の駆動軸４１に連結され、注出体２０の注出部２３の流出路２１内に配設されて、流出路２１を流れるビールＢの流れ方向と逆方向及び同方向に回転し得るようになっている。
【００１９】
上記回転羽根３０を回転駆動するモータ４０は、上記注出部２３の上部壁２３ｂに取り付けられて、注出部２３の流出路２１内に突出する駆動軸４１に上記回転羽根３０の回転軸３１を連結することで、回転羽根３０を流出路２１内に配設し、流出路２１を流れるビールＢの流れ方向と逆方向及び同方向に回転羽根３０を回転することができる。この場合、図２に示すように、注出部２３の上部壁２３ｂに凹所２３ｄを設けて、この凹所２３ｄ内にモータ４０の一部を挿入して、固定すれば、モータ４０の取付を確実にすることができると共に、モータ４０の外部への突出量を少なくすることができる。
【００２０】
一方、上記保持部６０は、上記注出体２０と同様に、例えばポリエチレン等のプラスチック製部材にて形成されており、注出体２０と一体に形成されている。この場合、保持部６０は、上端が開口する略矩形箱状に形成されており、一端部が注出体２０の中空胴体２６から突出するブラケット部６１を介して注出部２３に連結され、他端側の底部に、ビール缶１の肩部３に係止可能な係止段部６２が形成されている。また、保持部６０内には、モータ４０の駆動用電池５０を収容可能な収容部の両端部にプラス又はマイナスの電極端子（図示せず）が配置されると共に、これら電極端子とモータ４０とを接続するリード線５２が配設されている。また、保持部６０の他端側すなわちビール缶１の肩部３側には、モータ４０と電池５０の電気回路をＯＮ、ＯＦＦするスイッチである押しボタン式スイッチ５４が配設されている。このように保持部６０のビール缶１の肩部３側にスイッチ５４を配設することにより、ビール缶１に取り付けられた取手４を持ってビールを注ぐ際に、取手を掴んだ手の親指又は人差し指でスイッチ５４を操作することができる。したがって、ビールを注ぐ際のスイッチ操作を簡単にすることができると共に、泡の量や泡立ちのタイミング等の調整を自由に行うことができる。
【００２１】
上記のように構成されるビール容器用注出器１０を使用する場合は、まず、ビール缶１の口部２を閉塞するキャップ（図示せず）を取り外した後、口部２内に取付部２２の挿入筒体２４を挿入すると共に、保持部６０に設けた係止段部６２をビール缶１の肩部３に係止させて、注出器１０を取り付ける。この際、保持部６０をビール缶１の取手４の上方側に置く方が好ましい。そして、取手４を持って注出器１０の注出部２３を下方に傾けてグラスあるいはジョッキ等の容器（図示せず）内にビールＢを注ぐ際に、取手４を掴んでいる手の親指あるいは人差し指等でスイッチ５４をＯＮ操作してモータ４０を駆動させて、回転羽根３０を回転させることで、流出路２１を流れるビールＢに強制的に乱流を生じさせて撹拌して、きめの細かい泡を生成することができる。なおこの場合、ビールＢの注ぎ始めはスイッチ５４をＯＮ操作せずに、通常通りビールを注ぎ、グラス等の容器内にある程度ビールＢが注がれたところで、スイッチ５４をＯＮ操作すれば、ビールＢの上面に最適な量の泡を作ることができる。この泡の調整は、スイッチ５４をビール缶１の肩部３側に位置させてあるので、ビールＢを注ぐ際に取手を掴んだ手の親指又は人差し指でスイッチ５４を操作して、簡単に泡立ちを調整することができる。
【００２２】
なお、上記実施形態では、回転羽根３０の羽根部３３が４枚の場合について説明したが、同様の作用効果を奏するものであれば羽根部３３の枚数や形状は任意のものでよい。また、上記実施形態では、この発明の注出器を、２〜３リットル入りの大容量のビール缶に適用する場合について説明したが、プルトップ式の口部を有するビール缶やビン容器においても、取付部２２を各形態の容器の口部に適合できるように形成すれば、これらプルトップ式の口部を有するビール缶やビン容器にも使用可能である。
【００２３】
【発明の効果】
以上に説明したように、この発明のビール容器用注出器は、上記のように構成されているので、以下のような効果が得られる。
【００２４】
（１）請求項１記載の発明によれば、ビール容器内のビールを注ぐ際に、モータを駆動させて回転体を強制的に回転させるため、この回転体の回転によってビールに撹拌エネルギが付与される。そのため、ビール流体には乱流が発生し、流出路内にある回転体近傍のビール流体微少空間内で大きな圧力差が時間的に激しく変動し、過飽和に存在するビール流体内の炭酸ガスがその自由エネルギを下げるために、極めて短時間に気体へ相分離する。したがって、安定したきめの細かい泡を立てることができる。
【００２５】
（２）請求項２記載の発明によれば、ビールの流れ方向に対して垂直方向に回転軸を有する回転体をモータにて強制的に回転させるので、上記（１）に加えて更に乱流を発生し易くすることができ、より一層安定したきめの細かい泡を立てることができる。
【００２６】
（３）請求項１，２記載の発明によれば、注出体の注出部に一端が連結される保持部に電池を収容すると共に、保持部の他端をビール容器の肩部に係止させて取り付けることができるので、注出器を安定した状態でビール容器に取り付けることができる。また、保持部のビール容器の肩部側にスイッチを配設することにより、ビール容器に取り付けられた取手を持ってビールを注ぐ際、取手を掴んだ手の指でスイッチを操作することができる。したがって、ビールを注ぐ際のスイッチ操作を簡単にすることができると共に、泡の量や泡立ちのタイミング等の調整を自由に行うことができる。
【図面の簡単な説明】
【図１】この発明のビール容器用注出器の使用状態を示す一部断面側面図である。
【図２】上記注出器の要部を示す断面図である。
【図３】この発明における注出体の注出部の形状を示す正面図である。
【図４】この発明における回転体を示す斜視図である。
【符号の説明】
１  ビール缶（ビール容器）
２  口部
３  肩部
１０  注出器
２０  注出体
２１  流出路
２２  取付部
２３  注出部
３０  回転羽根（回転体）
３１  回転軸
４０  モータ
５０  モータ駆動用電池
５２  リード線
５４  スイッチ
６０  保持部
６２  係止段部
【図１】
0003963243.tif 000002
【図２】
0003963243.tif 000003
【図３】
0003963243.tif 000004
【図４】
0003963243.tif 000005